(57)【特許請求の範囲】
【請求項１】
ネット刃とトリマー刃とを一端に備えて両種の刃を同時に肌に接触させることができるようにされた電気かみそりにおいて、上下動可能なトリマー刃の刃基台頂部に、トリマー刃の刃先とネット刃との間に位置するように肌当て面を形成し、該肌当て面にトリマー刃の刃先で切断された毛をネット刃に導入するための複数のスリット孔を形成したことを特徴とする電気かみそり。
【請求項２】
スリット孔の深さはトリマー刃の刃先側で浅く、且つネット刃に向かうにつれて徐々に深くなるように形成されていることを特徴とする請求項１記載の電気かみそり。
【請求項３】
スリット孔の幅はトリマー刃の刃先側で広く、且つネット刃に向かうにつれて徐々に狭くなるように形成されていることを特徴とする請求項１記載の電気かみそり。
【発明の詳細な説明】
【０００１】
【産業上の利用分野】
本発明は電気かみそり、殊にネット刃とトリマー刃とを備えるとともに、この両種の刃を同時に肌に当てることができるようになっている電気かみそりに関する。
【０００２】
【従来の技術】
従来より、ネット刃２０とトリマー刃５との両者がほぼ同じ高さ位置に配設されて両種の刃を同時に肌に当てることができる電気かみそりがある。この電気かみそりでは、図７に示すように、ネット刃２０とトリマー刃５とを同時に肌に当てることができ、この状態で矢印方向Ａに電気かみそりを動かせば、長い毛やくせ毛がまずトリマー刃５によって切断され、短い毛やトリマー刃５による切断で短くなった毛がネット刃２０で切断されるものである（例えば特開平４−２３１９１号公報参照）。
【０００３】
【発明が解決しようとする課題】
ところが、従来の電気かみそりにて毛を剃る時の毛の挙動は、図７に示すように、トリマー刃５で切断された毛５５が肌と刃基台上部の肌当て面５０ｃとの間に挟まれて毛５５が寝てしまうため、ネット刃２０の側面の刃孔に導入されにくくなり、剃り残しが多くなるという問題がある。また、トリマー刃５の刃基台上部における肌への接触面積が大きいため、毛５５を剃る時、肌との間で摩擦抵抗が大きくなって滑りが悪くなり、毛５５をスムーズに且つ早く剃ることは不可能であった。
【０００４】
本発明は、上記従来の課題に鑑みてなされたもので、その目的とするところは、毛の導入が良好で剃り残しを少なくできると共に、毛をスムーズに且つ早く剃ることができるようにした電気かみそりを提供するにある。
【０００５】
【課題を解決するための手段】
上記課題を解決するために、本発明は、ネット刃２０とトリマー刃５とを一端に備えて両種の刃を同時に肌に接触させることができるようにされた電気かみそりにおいて、上下動可能なトリマー刃５の刃基台頂部５０ｂに、トリマー刃５の刃先とネット刃２０との間に位置するように肌当て面５０ｃを形成し、該肌当て面５０ｃにトリマー刃５の刃先で切断された毛をネット刃２０に導入するための複数のスリット孔４１を形成したことを特徴とする。
【０００６】
ここで、上記スリット孔４１の深さＬはトリマー刃５の刃先側で浅く、且つネット刃２０に向かうにつれて徐々に深くなるように形成されるのが好ましい。また、上記スリット孔４１の幅Ｄはトリマー刃５の刃先側で広く、且つネット刃２０に向かうにつれて徐々に狭くなるように形成するのが好ましい。
【０００７】
【作用】
しかして本発明によれば、上下動可能なトリマー刃５の刃基台頂部５０ｂに、トリマー刃５の刃先とネット刃２０との間に位置するように肌当て面５０ｃを形成し、該肌当て面５０ｃにトリマー刃５の刃先で切断された毛をネット刃２０に導入するための複数のスリット孔４１を形成したことにより、トリマー刃５で切断された毛が肌当て面５０ｃのスリット孔４１内に入って起き上がり、次のネット刃２０に導入され易くなる。従って、従来のように肌と刃基台頂部５０ｂの肌当て面５０ｃとの間に毛が挟まれて寝てしまうのを防止できるので、ネット刃２０での剃り残しを少なくすることができ、しかもスリット孔４１により肌当て面５０ｃと肌との接触面積が減少することにより、毛を剃る時の摩擦抵抗が小さくなる。
【０００８】
【実施例】
以下本発明を図示の実施例に基づいて詳述すると、本実施例に用いられる電気かみそりは、乾電池を電源とするとともに防水タイプのものであって、図２により全体構造をまず説明すると、図中１は本体であって、有底筒状の電池カバー１ａと、筒状の上部ハウジング１ｂと、上部ハウジング１ｂにおける斜め方向に向けられた上端開口を閉じる蓋１ｄとで筐体が形成されたもので、その上部ハウジング１ｂ内にはモータ１０が配設されている。また上部ハウジング１ｂの下端には電池収納部１３を備えたホルダー１５がビス止めで連結されており、電池カバー１ａはこのホルダー１５を覆うものとなっている。図中１ｃは電池カバー１ａの上端部外周面に装着されたアクセントリング、１６はホルダー１５に設けられてばね１７による付勢で電池カバー１ａ内面の係合凹部１８に係合して電池カバー１ａを止める係合片、１ｇは防水用のＯリングである。
【０００９】
本体１の前面には、本体１に対して上下スライド自在となっているスイッチハンドル６０と、このスイッチハンドル６０の上動（オン操作）をロックするためのロックハンドル６１と、スイッチハンドル６０の上下操作に伴って回転するカム６２、そしてこのカム６２にてオンオフされる接点部とからなるスイッチ６が配設されている。
【００１０】
一方、本体１におけるトリマー刃５とネット刃２０とが配されている一端を上とし、他端を下とした時、本体１の上端に斜め向きに設けられたヘッド部２は、角筒状のフレーム７と、このフレーム７の上端面の開口内に配されたネット刃２０及びネット刃２０の両脇に配される一対のトリマー刃５，５とからなるもので、外刃２１（図５）とこの外刃２１内面に摺接する内刃２２とからなるネット刃２０における内刃２２は、駆動子３を介して前記モータ１０に連結されている。この駆動子３は、モータ１０の出力軸に取り付けられたバランサー付きの偏心軸１２の回転運動を往復運動に変換して内刃２２に往復運動を行わせる。図中３９は内刃２２を外刃２１に向けて付勢している押し上げばね、１ｅは前記蓋蓋１ｄにおける駆動子３の貫通部の防塵（防水）のためのパッキン、１ｆはパッキン１ｅの固定のための押さえ板である。
【００１１】
上記ヘッド部２についてさらに詳しく説明する。フレーム７はその一端の下縁部が上記本体１にヒンジを介して連結されたもので、一面の表面側にはスライド釦８が上下スライド自在に設けられている。そしてこのフレーム７の内面には図４に示すように、トリマー刃５の上下動ガイドのためのリブ７２，７３，７４と、後述するトリマー駆動子９を軸支するための軸７１と、外刃２１の保持のためのフック７０と、ストッパー７５とが形成されたものとなっている。なお、スライド釦８が設けられた側の面では、リブ７３，７４間に縦長のガイド孔を、軸７１の部分にも縦長のガイド孔を備えており、軸７１はスライド釦８の内面に突設されている。
【００１２】
一方、トリマー刃５は刃基台５０と、押し上げばね５１、可動刃５２、固定刃５３、トリマー基台５４、そしてトリマー基台５４と一体に形成されたトリマー駆動子９とからなるもので、上端縁と刃基台５０との間に固定刃５３と可動刃５２と押し上げばね５１とが装着されている。尚図３中、３８は駆動子３とトリマー刃５とを連結している継手である。
【００１３】
このトリマー刃５の刃基台頂部５０ｂの肌当て面５０ｃには、図１及び図４に示すように、複数のスリット孔４１が設けてある。このスリット孔４１の形状を詳しく説明すると、スリット孔４１の深さＬは、図５に示すように、トリマー刃５の刃先側で最も浅く、且つネット刃２０に向かうにつれて徐々に深くなるように形成されており、また、スリット孔４１の幅Ｄは、図６に示すように、トリマー刃５の刃先側で最も広く、且つネット刃２０に向かうにつれて徐々に狭くなるように形成されている。
【００１４】
次に、電気かみそりによって実際に毛５５を剃る場合の肌及び毛５５の挙動を説明すると、図５に示すように、電気かみそりを矢印方向Ａに動かした場合、長い毛５５はトリマー刃５にて切断される。そして、比較的短い毛やトリマー刃５によって短く切断された毛はトリマー刃５の刃基台頂部５０ｂに設けてある複数のスリット孔４１に導入され、整毛されながらネット刃２０へと送られる。このとき、スリット孔４１内では、トリマー刃５で切断された毛５５が起き上がり、ネット刃２０に導入され易くなる。しかも、スリット孔４１の深さＬがトリマー刃５の刃先側で浅く、且つネット刃２０に向かうにつれて徐々に深くなるように勾配が設けられているから、スリット孔４１に導入されるまで倒れていた毛５５がスリット孔４１の深さＬに合わせて徐々に起きてきてネット刃２０の側面２０ａの刃孔４３に入って切断される。しかも、スリット孔４１の幅Ｄはトリマー刃５の刃先側で広く、且つネット刃２０に向かうにつれて徐々に狭くなるように形成されているから、スリット孔４１に導入されるまで多方向に向いていた毛５５をスリット孔４１により整毛でき、ネット刃２０への導入がよりスムーズとなる。従って、従来のように肌と刃基台頂部５０ｂの肌当て面５０ｃとの間に毛５５が挟まれて寝てしまうのを防止できるので、ネット刃２０での剃り残しを少なくすることができる。そのうえ、スリット孔４１を刃基台頂部５０ｂに設けたことにより、肌当て面５０ｃと肌との接触面積を減少させることができ、毛５５を剃る時の肌との摩擦抵抗を小さくすることができる。その結果、毛５５の導入が良好で剃り残しが少なくなり、腋などの汗ばんだ部位であってもスムーズに且つ早く剃ることができるという利点がある。
【００１５】
【発明の効果】
上述のように本発明は、ネット刃とトリマー刃とを一端に備えて両種の刃を同時に肌に接触させることができるようにされた電気かみそりにおいて、上下動可能なトリマー刃の刃基台頂部に、トリマー刃の刃先とネット刃との間に位置するように刃先とネット刃との間に肌当て面を形成し、該肌当て面にトリマー刃の刃先で切断された毛をネット刃に導入するための複数のスリット孔を形成したから、肌と刃基台頂部の肌当て面との間に挟まれた毛はスリット孔内で起き上がってネット刃に導入され易くなり、しかも、スリット孔の形成によってトリマー刃の肌当て面の接触面積が減少し、毛を剃る時、肌との間で摩擦抵抗が小さくなり、その結果、毛の導入が良好で剃り残しが少なくなり、特に腋などの汗ばんだ部位であっても毛をスムーズに且つ早く剃ることができるという効果を奏する。
【００１６】
ここで、上記スリット孔の深さをトリマー刃の刃先側で浅く、且つネット刃に向かうにつれて徐々に深くなるように形成した場合は、スリット孔に導入されるまで倒れていた毛をスリット孔の深さに合わせて徐々に起こすことができ、ネット刃への導入をより良くして剃り残しを一層少なくすることができる。
【００１７】
上記スリット孔の幅をトリマー刃の刃先側で広く、且つネット刃に向かうにつれて徐々に狭くなるように形成した場合は、スリット孔に導入されるまで多方向に向いていた毛をスリット孔により整毛でき、ネット刃への導入がさらに良好になる。
【図面の簡単な説明】
【図１】  本発明の一実施例における破断正面図である。
【図２】  同上の電気かみそり全体の縦断面図である。
【図３】  同上のヘッド部の縦断面図である。
【図４】  同上の破断分解正面図である。
【図５】  同上のヘッド部で毛を剃る場合を説明する要部断面図である。
【図６】  同上のヘッド部の平面図である。
【図７】  従来のヘッド部で毛を剃る場合を説明する要部断面図である。
【符号の説明】
５  トリマー刃
２０  ネット刃
４１  スリット孔
５０  刃基台
５０ｂ  頂部
５０ｃ  肌当て面
【図１】
0003732862.tif 000002
【図２】
0003732862.tif 000003
【図３】
0003732862.tif 000004
【図４】
0003732862.tif 000005
【図５】
0003732862.tif 000006
【図６】
0003732862.tif 000007
【図７】
0003732862.tif 000008